(57)【要約】【課題】被洗浄物を上食器かごにセットしたまま、下食器かごの被洗浄物を簡単に出し入れしたり、下食器かごもしくは上食器かごに背の高い被洗浄物をセットすることができる食器洗い機を提供する。【解決手段】上方に開口部２ａを備え被洗浄物８を洗浄する洗浄槽２と、前記洗浄槽２内に上下２段に設けられ前記被洗浄物８を収納する上食器かご１３と下食器かご１４とを備え、前記上食器かご１３を上下方向に移動可能としたもので、被洗浄物８を上食器かご１３にセットしたまま、上食器かご１３を上方向へ移動させることによって、上食器かご１３と、その下にある下食器かごと１４の間の空間を広くすることができるため、下食器かご１３の食器を簡単に出し入れすることができる。また、下食器かご１４もしくは上食器かご１３に背の高い被洗浄物８をセットすることもできる。【選択図】図１
2007135809.tif 000002
【特許請求の範囲】
【請求項１】
上方に開口部を備え被洗浄物を洗浄する洗浄槽と、前記洗浄槽内に上下２段に設けられ前記被洗浄物を収納する上食器かごと下食器かごとを備え、前記上食器かごを上下方向に移動可能とした食器洗い機。
【請求項２】
上食器かごが、任意の位置で静止可能とした請求項１に記載の食器洗い機。
【請求項３】
洗浄槽の側壁又は下食器かごと、上食器かごとのいずれか一方に案内部で連結された複数の第１係合部を設け、他方に第２係合部を設け、前記第２係合部を前記案内部に沿って移動させて前記複数の第１係合部のうちの１つに選択的に係止可能とした請求項２に記載の食器洗い機。
【請求項４】
洗浄槽の側壁又は下食器かごと、上食器かごとのいずれか一方に複数の第１係合部を設け、他方に弾性的に変位可能な第２係合部とを設け、前記第２係合部を前記複数の第１係合部のうちの１つに選択的に係止可能とした請求項２に記載の食器洗い機。
【請求項５】
洗浄槽の側壁又は下食器かごと、上食器かごとのいずれか一方にシリンダーを設け、他方に前記シリンダー内を移動可能なピストンを設け、前記シリンダーと前記ピストンとの間を略気密に構成し、前記シリンダーの一端に、弁を介して外気と連通させた穴を設け、前記弁の開閉により、前記上食器かごを任意の位置で静止可能とした請求項２に記載の食器洗い機。
【発明の詳細な説明】
【技術分野】
【０００１】
本発明は、食器等の被洗浄物に洗浄水を噴射して洗浄する食器洗い機に関するものである。
【背景技術】
【０００２】
従来の、一般的な食器洗い機は、図８に示すように構成されていた（例えば、特許文献１参照）。以下、その構成について説明する。
【０００３】
図８に示すように、食器洗い機本体１は、内部に洗浄槽２を設けており、洗浄槽２は上方に開放していて、上方から食器などの被洗浄物８の出し入れが可能となっている。また、洗浄槽２内へは給水弁３により水または湯を供給するようにしている。ここで、その洗浄水の供給は、水位センサ（図示せず）を利用して適切な水位に設定し、給水弁３からの給水を自動的に止める。洗浄槽２の底部には排水孔４を設け、この排水孔４に連通し、モータ（図示せず）によって駆動される洗浄ポンプ５を取り付け、この洗浄ポンプ５により洗浄水を洗浄槽２の内部に循環するよう構成している。また、排水孔４には残さいを捕集する残さいフィルタ６が設けられている。
【０００４】
上記構成による従来の食器洗い機の動作を説明する。
【０００５】
洗浄槽２内に供給された洗浄水は、残さいフィルタ６を通過して洗浄ポンプ５に吸い込まれ、洗浄ポンプ５より洗浄槽２の内底部に回転自在に設けた洗浄ノズル７に供給される。洗浄ノズル７から噴射された洗浄水は、被洗浄物８を洗浄した後、再び排水孔４に戻るという経路で循環する。この際、被洗浄物８から脱落した残さい等は、洗浄水とともに残さいフィルタ６に流入し、この残さいフィルタ６を通過できない大きさの残さいは残さいフィルタ６に捕集される。
【０００６】
また、洗浄ノズル７と洗浄槽２の底部との間には、洗浄水加熱用のヒータ９を装備し、洗浄ノズル７の上方には、被洗浄物８を整然と配置でき、洗浄水を効果的に被洗浄物８に噴射するように構成された上下二段からなる上食器かご１０と下食器かご１１を設置して効率的に洗浄を行っている。
【０００７】
上食器かご１０の下側の下食器かご１１には、茶碗などの背の低い被洗浄物８ａが、上側に上食器かご１０がない下食器かご１１には、皿類などの背の高い被洗浄物８ｂがそれぞれ配置されている。また、上食器かご１０は、ベース部分１０ａと、ベース部分１０ａに回転自在で取着され、コップなどの被洗浄物８ｃをセットする棚部分１０ｂからなり、ベース部分１０ａは移動することなく、棚部分１０ｂを洗浄槽２の壁面方向に回転させながらコンパクトに折りたたむことが可能である。さらに、制御手段１２により、給水弁３や洗浄ポンプ５等の電装部品を駆動、制御している。
【特許文献１】特開２００２−１７６４３号公報
【発明の開示】
【発明が解決しようとする課題】
【０００８】
しかしながら、このような従来の食器洗い機の構成では、下食器かご１１の上食器かご１０が覆う部分に被洗浄物８ａを出し入れする場合、上食器かご１０と下食器かご１１の間の空間が狭いために、そのままでは出し入れしづらかった。上食器かご１０の被洗浄物８ｃを一旦取り出し、上食器かご１０を折りたたんでから、被洗浄物８ａの出し入れを行うこともできるが、非常に手間がかかり、被洗浄物８ｃをセットしたままでは出し入れしづらかった。また、そのままでは、背の高い被洗浄物８ｂをセットするのも困難であった。
【０００９】
本発明は上記従来の課題を解決するもので、被洗浄物を上食器かごにセットしたまま、下食器かごの被洗浄物を簡単に出し入れしたり、下食器かごもしくは上食器かごに背の高い被洗浄物を自由にセットできる使用勝手の良い食器洗い機を提供することを目的としている。
【課題を解決するための手段】
【００１０】
上記従来の課題を解決するために、本発明の食器洗い機は、上方に開口部を備え被洗浄物を洗浄する洗浄槽と、前記洗浄槽内に上下２段に設けられ前記被洗浄物を収納する上食器かごと下食器かごとを備え、前記上食器かごを上下方向に移動可能としたもので、被洗浄物を上食器かごにセットしたまま、上食器かごを上方向へ移動することによって、上食器かごと、その下にある下食器かごとの間の空間を広くすることができるため、下食器かごの食器を簡単に出し入れすることができる。また、下食器かごもしくは上食器かごに背の高い食器をセットすることもできる。
【発明の効果】
【００１１】
本発明の食器洗い機は、上食器かごが上下方向に移動可能可能なので、被洗浄物を上食器かごにセットしたまま、下食器かごの食器を簡単に出し入れしたり、下食器かごもしくは上食器かごに背の高い食器をセットすることができる。
【発明を実施するための最良の形態】
【００１２】
第１の発明は、上方に開口部を備え被洗浄物を洗浄する洗浄槽と、前記洗浄槽内に上下２段に設けられ前記被洗浄物を収納する上食器かごと下食器かごとを備え、前記上食器かごを上下方向に移動可能としたもので、被洗浄物を上食器かごにセットしたまま、上食器かごを上方向へ移動することによって、上食器かごと、その下にある下食器かごとの間の空間を広くすることができるため、下食器かごの被洗浄物を簡単に出し入れすることができる。また、下食器かごもしくは上食器かごに背の高い被洗浄物をセットすることもできる。
【００１３】
第２の発明は、特に、第１の発明の上食器かごが、任意の位置で静止可能としたもので、被洗浄物を上食器かごにセットしたまま、上食器かごを上方向へ移動させ任意の位置で静止することによって、上食器かごと下食器かごとの間の空間を広くした状態で、下食器かごの被洗浄物を簡単に出し入れすることができる。また、下食器かごもしくは上食器かごに背の高い被洗浄物をセットすることもできる。
【００１４】
第３の発明は、特に、第２の発明の洗浄槽の側壁又は下食器かごと、上食器かごとのいずれか一方に案内部で連結された複数の第１係合部を設け、他方に第２係合部を設け、前記第２係合部を前記案内部に沿って移動させて前記複数の第１係合部のうちの１つに選択的に係止可能としたもので、簡単な構成で、上食器かごの位置を変えることができ、上食器かごと下食器かごの間に手が入りやすい空間がとれるため、下食器かごの被洗浄物を簡単に出し入れしたり、下食器かごもしくは上食器かごに背の高い被洗浄物をセットすることもできる。
【００１５】
第４の発明は、特に、第２の発明の洗浄槽の側壁又は下食器かごと、上食器かごとのいずれか一方に複数の第１係合部を設け、他方に弾性的に変位可能な第２係合部とを設け、前記第２係合部を前記複数の第１係合部のうちの１つに選択的に係止可能としたもので、被洗浄物の姿勢をほとんど変えずに上食器かごを上下方向に移動させて、上食器かごと下食器かごの間に手が入りやすい空間が確保できるので、下食器かごの被洗浄物を簡単に出し入れしたり、下食器かごもしくは上食器かごに背の高い被洗浄物をセットすることもできる。
【００１６】
第５の発明は、特に、第２の発明の洗浄槽の側壁又は下食器かごと、上食器かごとのいずれか一方にシリンダーを設け、他方に前記シリンダー内を移動可能なピストンを設け、前記シリンダーと前記ピストンとの間を略気密に構成し、前記シリンダーの一端に、弁を介して外気と連通させた穴を設け、前記弁の開閉により、前記上食器かごを任意の位置で静止可能としたもので、弁の開閉により、上食器かごの位置を任意の位置で固定して、上食器かごと下食器かごの間に手が入りやすい空間を確保することができるので、下食器かごの被洗浄物を簡単に出し入れしたり、下食器かごもしくは上食器かごに背の高い被洗浄物をセットすることもできる。
【００１７】
以下、本発明の実施の形態について、図面を参照しながら説明する。また、この実施の形態によって本発明が限定されるものではない。
【００１８】
（実施の形態１）
図１、２は、本発明の第１の実施の形態における食器洗い機の縦断面図、図３は、同食器洗い機の要部拡大図である。なお、上記従来例における食器洗い機と同一部分については同一符号を付してその説明を省略する。
【００１９】
図１において、食器洗い機本体１には、引き出し自在で、上方から被洗浄物８が出し入れできるように上方に開口部２ａを有する洗浄槽２が設けられている。洗浄槽２の中には、上下二段に上食器かご１３と下食器かご１４を設置している。上食器かご１３は、下食器かご１４の一部を覆うように構成されている。
【００２０】
また、図３に示すように、上食器かご１３には、第１係合部としての複数箇所分岐を設けた穴１５をあけた案内部１６が設けてある。また、洗浄槽２の前方壁面には、第１係合部に係合する第２係合部として案内部１６の穴１５を通る軸１７が設けてあり、軸１７の先端部分には、案内部１６から抜けないように穴１５より大きな円盤１８が取り付けてある。図３では、案内部１６と軸１７は、１つずつしか図示していないが、上食器かご１３を安定して移動、固定するためには、上下方向に移動するのを補助するガイドを含め、２つ以上、上食器かご１３の四隅近傍に取り付けられている方が望ましい。
【００２１】
上記のように構成された食器洗い機の動作、作用について説明する。
【００２２】
まず、洗浄槽２側の軸１７を、上食器かご１３の案内部１６に設けた穴１５の分岐部より外れるように上食器かご１３を横方向にスライドさせながら、上方向に移動させる。そして、移動した上食器かご１３の案内部１６に設けた穴１５の下の分岐部に洗浄槽２の軸１７を引っ掛けることにより、図２に示すように、上食器かご１３を上方へ移動させて固定することができる。
【００２３】
以上のように、本実施の形態によれば、案内部１６の穴１５に従って上食器かご１３が上下方向に移動可能となるので、上食器かご１３と下食器かご１４の空いた空間からの被洗浄物８の出し入れが容易となり、かつ、所定の位置で保持することができるため、背の高い被洗浄物８ｂのセットが可能となり、食器洗い機の使い勝手を大幅に向上させることができる。
【００２４】
なお、本実施の形態では、案内部１６を上食器かご１３に、軸１７を洗浄槽２側にそれぞれ設けたが、案内部１６を洗浄槽２側に、軸１７を上食器かご１３に設けても良い。
【００２５】
また、本実施の形態では、軸１７を洗浄槽２に設けたが、下食器かご１４の一部を上方に延設し、それに軸１７を設けても良い。
【００２６】
（実施の形態２）
図４は、本発明の実施の形態２における食器洗い機の要部拡大斜視図、図５は、同食器洗い機の要部拡大平面図である。なお、上記第１の実施の形態における食器洗い機と同一部分については同一符号を付してその説明を省略する。
【００２７】
本実施の形態は、上食器かご１３を上下動させたときに係合させるための第２係合部として、上食器かご１３に前後方向にたわむことができる爪１９を取り付け、第２係合部に係合する第１係合部として、洗浄槽２に取り付けたレール２０に複数の穴２１を設けたものである。
【００２８】
尚、上食器かご１３には、レール２０を抱え込むように構成されたリブ２２が一体に形成されている。
【００２９】
以上のように構成された食器洗い機の動作、作用を説明する。
【００３０】
上食器かご１３を、レール２０に沿って上下方向に移動させる。このとき、上食器かご１３の爪１９がたわんでレール２０の穴２１ａから外れる。そのまま上食器かご１３を上方に移動させると、レール２０の穴２１ｂと上食器かご１３の爪１９が引っかかり、上食器かご１３の位置を固定させることができる。
【００３１】
図４、５では、レール２０、爪１９はそれぞれ１つずつしか図示しなかったが、上食器かご１３を安定して移動、固定するためには、上下方向に移動するのを補助するガイドを含め、２つ以上、上食器かご１３の四隅近傍に取り付けられている方が望ましい。
【００３２】
以上のように、本実施の形態によれば、レール２０上を上食器かご１３が上下方向に移動可能なので、空いた空間からの被洗浄物８の出し入れが可能となり、かつ、所定の位置で保持することができるため、大きな被洗浄物８のセットも容易にできるようになり、食器洗い機の使い勝手を大幅に向上させることができる。
【００３３】
なお、本実施の形態では、爪１９を上食器かご１３に、レール２０を洗浄槽２側にそれぞれ設けたが、爪１９を洗浄槽２側に、レール２０を上食器かご１３側に設けても良い。
【００３４】
また、本実施の形態では、レール２０を洗浄槽２に設けたが、下食器かご１４の一部を上方に延設し、それにレール２０を設けても良い。
【００３５】
（実施の形態３）
図６は、本発明の実施の形態３における食器洗い機の要部拡大斜視図である。なお、上記第２の実施の形態における食器洗い機と同一部分については同一符号を付してその説明を省略する。
【００３６】
本実施の形態は、上記第２の実施の形態を応用したもので、図６に示すように、上食器かご１３に一体に設けたリブ２４に、第２係合部として三角形状の突起を構成した板バネ２３を取り付け、第２係合部に係止する第１係合部として、洗浄槽２に取り付けたレール２５に三角形状の突起２６を複数形成している。上食器かご１３には、レール２５を抱え込むように構成されたリブ２７が一体に形成されている。
【００３７】
以上のように構成された食器洗い機の動作、作用を説明する。
【００３８】
上食器かご１３をレール２５に沿って上下方向に移動させる。このとき、板バネ２３はレール２５の三角形状の突起２６に押され、板バネ２３の三角形状が前後方向につぶされ、板バネ２３の端部は上下方向に逃がされる。そのまま上食器かご１３を移動させるとレール２５の突起２６と上食器かご１３の板バネ２３の三角形状の突起２６とが合わさって、上食器かご１３の位置が固定される。図６では、板バネ２３、リブ２４、レール２５はそれぞれ１つずつしか図示していないが、上食器かご１３を安定して移動、固定するために、上下方向に移動するのを補助するガイドを含め、２つ以上、上食器かご１３の四隅近傍に取り付けるのが望ましい。
【００３９】
以上のように、本実施の形態によれば、レール２５上を上食器かご１３が上下方向に移動可能とすることにより、空いた空間からの被洗浄物８の出し入れが可能となり、かつ、所定の位置で保持することができるため、大きな被洗浄物８のセットが可能となり、食器洗い機の使い勝手を大幅に向上させることができる。
【００４０】
（実施の形態４）
図７は、本発明の第４の実施の形態における食器洗い機の要部拡大図である。なお、上記実施の形態における食器洗い機と同一部分については同一符号を付してその説明を省略する。
【００４１】
本実施の形態は、図７に示すように、上食器かご１３にはピストン２８が取り付けられ、洗浄槽２には、ピストン２８を摺動自在に支持するシリンダー２９が取り付けられ、ピストン２８が上下動することにより上食器かご１３が上下動するように構成されている。また、ピストン２８の下端には、シリンダー２９と気密性を保つためにパッキング３０が設けられている。また、シリンダー２９の底部には穴３１が設けられていて、シリンダー２９内の空気が自由に出入りできるようになっている。シリンダー２９の穴３１には、外気と連通すると共に途中に開閉自在の弁３３を有するホース３２が取り付けられている。
【００４２】
上記構成による食器洗い機の動作、作用を説明する。
【００４３】
弁３３を開放すると、ホース３２を介してシリンダー２９内と外気が連通し、シリンダー２９内の空気圧が大気圧とほぼ等しくなり、簡単に上食器かご１３を上下方向に移動させることができる。そして、上食器かご１３の位置を固定する場合は、弁３３を閉じる。上食器かご１３が下へ移動するには、シリンダー２９内の空気圧が大気圧より上昇するために容易に行えず、また、上へ移動するには、シリンダー２９内の空気圧が大気圧より低くなるために、これも容易に行えない。図７では、ピストン２８、シリンダー２９はそれぞれ１つずつしか図示していないが、上食器かご１３を安定して移動、固定するためには、上下方向に移動するのを補助するガイドを含め、２つ以上、上食器かご１３の四隅近傍に取り付けるのが望ましい。
【００４４】
以上のように、本実施の形態によれば、弁３３の開閉によって、シリンダー２９内でピストン２８を上下方向に移動させて、上食器かご１３を任意の位置へ移動できるので、空いた空間からの被洗浄物８の出し入れが可能となり、かつ、所定の位置で保持することができるため、大きな被洗浄物８のセットが可能となり、食器洗い機の使い勝手を大幅に向上させることができる。
【００４５】
なお、本実施の形態では、シリンダー２９を洗浄槽２に設けたが、下食器かご１４にシリンダー２９を設けても良い。
【産業上の利用可能性】
【００４６】
以上のように、本発明にかかる食器洗い機は、上食器かごを上下方向に容易に移動できるので、被洗浄物を上食器かごにセットしたまま、下食器かごの食器を簡単に出し入れしたり、下食器かごもしくは上食器かごに背の高い食器をセットしたりすることができるので、食器等の被洗浄物に洗浄水を噴射して洗浄する食器洗い機として有用である。
【図面の簡単な説明】
【００４７】
【図１】本発明の実施の形態１における食器洗い機の縦断面図
【図２】同食器洗い機の縦断面図
【図３】同食器洗い機の要部拡大図
【図４】本発明の実施の形態２における食器洗い機の要部拡大斜視図
【図５】同食器洗い機の要部拡大平面図
【図６】本発明の実施の形態３における食器洗い機の要部拡大斜視図
【図７】本発明の実施の形態４における食器洗い機の要部拡大図
【図８】従来の食器洗い機の縦断面図
【符号の説明】
【００４８】
２  洗浄槽
２ａ  開口部
８  被洗浄物
１３  上食器かご
１４  下食器かご
１５、２１  穴（第１係合部）
１６  案内部
１７  軸（第２係合部）
１９  爪（第２係合部）
２０、２４  レール（案内部）
２３  板バネ（第２係合部）
２６  突起（第１係合部）
２８  ピストン
２９  シリンダー
３３  弁
【図１】
2007135809.tif 000003
【図２】
2007135809.tif 000004
【図３】
2007135809.tif 000005
【図４】
2007135809.tif 000006
【図５】
2007135809.tif 000007
【図６】
2007135809.tif 000008
【図７】
2007135809.tif 000009
【図８】
2007135809.tif 000010